(57)【要約】【課題】本発明は、固定端子の端子部をケース内部に位置させることにより、小型化が可能で端子部の変形や塵等の異物の付着を防ぐことが可能なスイッチ装置を提供すること。【解決手段】本発明のスイッチ装置の第１、第２固定端子４、５は、可動接点７が接触可能な接点部４ｂ、５ｂとこの接点部４ｂ、５ｂに連結されて一体形成された端子部４ｃ、５ｃとをそれぞれ有し、ケース１は、空洞部１ａの下方側である一方側が開放され、この開放された空洞部１ａの一方側を遮蔽可能なウエハ３が配設され、ウエハ３に第１、第２固定端子４、５の一部を埋設した状態で、接点部４ｂ、５ｂと端子部４ｃ、５ｃのそれぞれを空洞部１ａ内に位置させている。【選択図】        図１
2004311122.tif 000002
【特許請求の範囲】
【請求項１】
ケース内部の空洞部に互いに絶縁されて配設された第１、第２固定端子と、前記第１、第２固定端子の両方に接触可能な可動接点と、前記ケースに回動自在に支持されたレバー部材とを備え、
前記第１、第２固定端子は、前記可動接点が接触可能な接点部とこの接点部に連結されて一体形成された端子部とをそれぞれ有し、前記ケースは、前記空洞部の一方側が開放され、この開放された前記空洞部の前記一方側を遮蔽可能なウエハが配設され、前記ウエハに前記第１、第２固定端子の一部を埋設した状態で、前記接点部と前記端子部のそれぞれを前記空洞部内に位置させたことを特徴とするスイッチ装置。
【請求項２】
前記第１、第２固定端子は、前記接点部と前記端子部とを連結する基部を有し、この基部を前記ウエハに埋設すると共に前記接点部を互いに隣り合わせて配設して、前記端子部を前記接点部から離れた位置に配設したことを特徴とする請求項１記載のスイッチ装置。
【請求項３】
前記第１、第２固定端子は、それぞれの前記接点部を挟んだ外側の位置にそれぞれ前記端子部を配設したことを特徴とする請求項２記載のスイッチ装置。
【請求項４】
前記ケースと前記ウエハとは、互いにスナップ係止可能になっていることを特徴とする請求項１乃至３のいずれかに記載のスイッチ装置。
【発明の詳細な説明】
【０００１】
【発明の属する技術分野】
本発明は、スイッチ装置に係わり、２つの固定端子間のスイッチ回路を切り換え可能なスイッチ装置に関する。
【０００２】
【従来の技術】
従来のスイッチ装置は、図８に示すように、外形が略矩形状のケース２１を有し、このケース２１は、内部に形成した空洞部２１ａの下面側が側壁２２で遮蔽されている。
前記空洞部２１ａの図示手前側の右側隅部には、レバー２３が延出支持され、このレバー２３の支持部２３ａが、側板２２の支持部２２ａに支持している支持棒（図示せず）等に支持されて、レバー２３が支持部２３ａを支点として回動自在になっている。
前記レバー２３は、支持部２３ａから左方向に延びる押圧部２３ｂと右方向に延びる操作部２３ｃとが形成されて形状が略く字状になっている。そして、押圧部２３ｂが空洞部２１ａ内に位置すると共に操作部２３ｃが空洞部２１ａから外方に延出して形成されている。
【０００３】
また、ケース２１内部の空洞部２１ａには、スライダ２４が配設され、このスライダ２４は、コイルバネ２５の付勢力よって、レバー２３の押圧部２３ｂに弾性付勢されている。そして、スライダ２４は、レバー２３の矢印Ａ方向への回動操作により、コイルバネ２５を圧縮する方向の直線方向にスライド可能になっている。
また、レバー２３は、支持部２３ａから押圧部２３ｂの先端までの寸法に対して支持部２３ａから操作部２３ｃまでの寸法の方が長く形成されている。
そのために、レバー２３の操作部２３ｃに加える力が小さくても、スライダ２４をコイルバネ２５の付勢力に抗して容易にスライドさせることができる。
【０００４】
また、スライダ２４には、金属板を折り曲げてクリップ状に形成した可動接点２６が支持され、この可動接点２６がスライダ２４のスライドと共にスライド可能になっている。
また、ケース２１の空洞部２１ａは、図示左側が開放されており、この開放部分にウエハ２７の支持部２７ａが取り付け可能になっている。
前記ウエハ２７は樹脂材料からなり、金属板からなる第１、第２固定端子２８、２９が、インサート成型等によりそれぞれが絶縁されて埋設されている。
【０００５】
そして、ウエハ２７の支持部２７ａには、空洞部２１ａ側に突出して、第１、第２端子２８、２９の接点部２８ａ、２９ａが絶縁部２７ｂで絶縁されて形成されている。前記接点部２８ａ、２９ａ間の絶縁部２７ｂは、接点部２８ａ、２９ａと同じ厚さに形成されている。
また、ケース２１に支持部２７ａを支持した状態のウエハ２７には、ケース２１の空洞部２１ａの外側に位置する基部２７ｃと、この基部２７ｃの両端部から図示下方側に延出して一対のプロテクト部２７ｄ、２７ｄとが形成されている。
前記一対のプロテクト部２７ｄ、２７ｄに挟まれた基部２７の中央部分からは、プロテクト部２７ｄと同方向に突出して端子導出部２７ｅが形成されている。
【０００６】
この端子導出部２７ｅには、インサート成型された第１、第２固定端子２８、２９に形成された端子部２８ｂ、２９ｂがプロテクト部２７ｄ側に引き出されて露出している。そして、露出するそれぞれの端子部２８ｂ、２９ｂをプロテクト部２７ｄ、２７ｄでガード可能になっている。
また、端子部２８ｂ、２９ｂは、略Ｕ字状に折り曲げられて外部からプラグ（図示せず）等が接続可能になっている。前記ウエハ１７は、インサート成型時に、それぞれの端子部２８ｂ、２９ｂを端子導出部２７ｅから導出して露出させるために、端子部２８ｂ、２９ｂを成型金型で覆っていた。
【０００７】
そのために、それぞれの端子部２８ｂ、２９ｂとプロテクト部２７ｄ、２７ｄとの間には、成型金型を逃がすための所定の逃げスペースが形成されていた。
このような従来のスイッチ装置は、レバー２３を回動操作する前の初期状態においては、図９に示すように、コイルバネ２５の付勢力で、スライダ２４が図示右側に位置して、可動接点２６が第１固定端子２８の接点部２８ａに接した状態になっている。
【０００８】
そして、従来のスイッチ装置の動作を説明すると、まず、図９に示す初期状態にあるレバー２３を矢印Ａ方向に回動操作する。
すると、レバー部材２２が回動し、押圧部２３ｂに押圧されたスライダ２４が図示左方向に直線的にスライドしてコイルバネ２５が圧縮される。
前記スライダ２４のスライドと共に可動接点２６も同方向に直線的にスライドする。
【０００９】
そして、第１固定端子２８の接点部２８ａに接していた可動接点２６が、図１０に示すように、第１固定端子２８の接点部２８ａと第２端子２９の接点部２９ａの両方に接して、第１、第２固定端子２８、２９間のスイッチ回路が切り換わる。
また、レバー２３の操作部２３ｃに加えていた矢印Ａ方向の操作力を解除すると、コイルバネ２５の付勢力でスライダ２４が図示右方向にスライドして、可動接点２６が第２端子２９の接点部２９ａから離れて、スイッチ回路が初期状態に自動復帰する。
【００１０】
【特許文献１】
実開昭６３−２０３３５号公報
【００１１】
【発明が解決しようとする課題】
しかし、前述したような従来のスイッチ装置の可動接点２６は、第１、第２固定端子２８、２９をウエハ２７にインサート成型する時に、それぞれの端子部２８ｂ、２９ｂとプロテクト部２７ｄ、２７ｄとの間に成型金型の逃げスペースが必要であったので、ウエハ２７が大きくなり、従来のスイッチ装置が大型になる問題があった。
また、第１、第２固定端子２８、２９のそれぞれの端子部２８ｂ、２９ｂは、基部２７ｃ側とプロテクト部２７ｄ、２７ｄ側の２方向がガードされているが、３方向がガードされていないために、端子部２８ｂ、２９ｂが変形したり、塵等の異物が付着するおそれがあった。
本発明は、前述したような問題点に鑑みてなされたもので、固定端子の端子部をケース内部に位置させることにより、小型化が可能で変形や塵等の異物の付着を防ぐことが可能なスイッチ装置を提供することを目的とする。
【００１２】
【課題を解決するための手段】
前記課題を解決するための第１の解決手段として本発明のスイッチ装置は、ケース内部の空洞部に互いに絶縁されて配設された第１、第２固定端子と、前記第１、第２固定端子の両方に接触可能な可動接点と、前記ケースに回動自在に支持されたレバー部材とを備え、前記第１、第２固定端子は、前記可動接点が接触可能な接点部とこの接点部に連結されて一体形成された端子部とをそれぞれ有し、前記ケースは、前記空洞部の一方側が開放され、この開放された前記空洞部の前記一方側を遮蔽可能なウエハが配設され、前記ウエハに前記第１、第２固定端子の一部を埋設した状態で、前記接点部と前記端子部のそれぞれを前記空洞部内に位置させたことを特徴とする。
【００１３】
また、前記課題を解決するための第２の解決手段として、前記第１、第２固定端子は、前記接点部と前記端子部とを連結する基部を有し、この基部を前記ウエハに埋設すると共に前記接点部を互いに隣り合わせて配設して、前記端子部を前記接点部から離れた位置に配設したことを特徴とする。
【００１４】
また、前記課題を解決するための第３の解決手段として、前記第１、第２固定端子は、それぞれの前記接点部を挟んだ外側の位置にそれぞれ前記端子部を配設したことを特徴とする。
【００１５】
また、前記課題を解決するための第４の解決手段として、前記ケースと前記ウエハとは、互いにスナップ係止可能になっていることを特徴とする。
【００１６】
【発明の実施の形態】
以下に、本発明のスイッチ装置の実施の形態を図面に基づいて説明する。図１は本発明のスイッチ装置の分解斜視図であり、図２は本発明に関するケースの２−２断面図であり、図３は本発明に関するレバー部材の要部断面斜視図であり、図４〜図６は本発明のスイッチ装置の動作を説明する要部断面図であり、図７は本発明のその他の実施の形態を説明する要部断面図である。
【００１７】
まず、本発明の１実施の形態のスイッチ装置１は、図１に示すように、外形が略立方体状に形成された樹脂材料等からなるケース１が配設されている。このケース１は、図２に示すように、図示下方側の一方側が開放されて空洞部１ａが形成されている。
前記ケース１の空洞部１ａは、外周部が互いに対向する面積の大きな第１側板１ｂと、面積の小さな第２側板１ｃとにより囲まれて形成されている。
また、ケース１は、図示上方に形成した天板１ｄによって、空洞部１ａの上方が遮蔽され、この天板１ｄに後述するレバー部材２が挿通可能なレバー挿通孔１ｅが形成されている。
前記互いに対向する第１側板１ｂには、下部側に縦長状のスナップ孔１ｆ、１ｆが貫通形成され、このスナップ孔１ｆ、１ｆより上部側で外側には、ソケット等の接続部材（図示せず）が挿通可能な挿通孔１ｇ、１ｇが貫通形成され、この挿通孔１ｇ、１ｇが形成された部分の空洞部１ａ内に、後述する第１、第２固定端子４、５の端子部４ｃ、５ｃが位置するようになっている。
【００１８】
また、ケース１の空洞部１ａ内に配設されて回動自在のレバー部材２は、樹脂材料等からなり、下部側に本体部２ａが形成され、この本体部２ａから斜め上方に延びて操作部２ｂが形成されている。
そして、図４に示すように、操作部２ｂがケース１の天板１ｄに形成したレバー挿通孔１ｅから図示上方に挿通する用になっている。
また、操作部２ｂの根元部分の本体部２ａから左右方向に、所定の厚さと幅寸法のストッパ壁２ｃ、２ｃが突出形成されている。
また、本体部２ａの図示奥側には、後述するウエハ３の支持棒３ｂが挿通可能な支持孔２ｄが貫通形成されている。また、レバー部材２は、図３に示すように、支持孔２ｄが形成された部分の本体部２ａの内部に、後述する弾性部材６を収納可能な第１空洞部２ｅが形成されている。
【００１９】
また、第１空洞部２ｅの図示手前側には、後述する可動接点７を収納して支持可能な第２空洞部２ｆが形成され、この第２空洞部２ｆを構成する本体部２ａの側壁の下部側には、一対の支持突起２ｇ、２ｇが内向きに突出形成されている。
また、第２空洞部２ｆの上部には、後述する第１、第２固定端子４、５が位置可能な第３空洞部２ｈが形成されている。
また、第２空洞部２ｆを構成する本体部２ａの側壁には、図示縦方向にスリット溝２ｊが形成されている。
【００２０】
また、ケース１は、空洞部１ａの下部側である一方側が開放されており、この開放部分を遮蔽可能なウエハ３が配設されている。このウエハ３は、樹脂材料からなり、コモン端子である第１固定端子４と個別端子である第２固定端子５との一部がインサート成型等により埋設されて支持されて互いに絶縁されている。
また、ウエハ３からは、支持壁３ａが上方に突出形成され、この支持壁３ａに後述する弾性部材６を支持可能な棒状のバネ支持部３ｂが一体形成されている。
前記バネ支持部３ｂの下部には、断面が略半円状に突出するバネ受け部３ｃが形成されて、後述する弾性部材６の一端部６ａが弾接可能になっている。
また、ウエハ３の側面からは、ケース１のスナップ孔１ｆ、１ｆに係合可能な突起部３ｄ、３ｄが突出形成されている。
【００２１】
前記第１固定端子４は、ウエハ３の図示奥側に基部４ａが埋設されて配設され、第２固定端子５は、ウエハ３の図示手前側に基部５ａが埋設されて配設されている。そして、ウエハ３に埋設した第１固定端子４の基部４ａは、図示手前側にウエハ３から上方に突出する円弧状に湾曲した接点部４ｂが所定高さで形成されている。また、第１固定端子４は、基部４ａを挟んで接点部４ｂから離れた位置の図示奥側に、プラグ等の接続部材（図示せず）が接続可能な端子部４ｃが形成され、この端子部４ｃが略Ｕ字状に折り曲げ形成されてウエハ３から上方に露出した状態になっている。
【００２２】
また、ウエハ３に埋設した第２固定端子５の基部５ａは、図示奥側に第１固定端子４の接点部４ｂと隣り合わせて第１固定端子４の接点部４ｂと同方向に円弧状に湾曲した接点部５ｂがウエハ３から上方に突出形成されている。
前記第２固定端子５の接点部５ｂの高さ寸法は、第１固定端子４の接点部４ｂより低く形成されている。即ち、第１固定端子４の接点部４ｂは、第２固定端子５の接点部５ｂより長く形成されている。
【００２３】
また、第２固定端子５は、基部５ａを挟んで接点部５ｂから離れた位置の図示手前側に、プラグ等の接続部材（図示せず）が接続可能な端子部５ｃが形成され、この端子部５ｃが略Ｕ字状に折り曲げ形成されてウエハ３から上方に露出した状態になっている。
前記第１、第２固定端子４、５は、それぞれの基部４ａ、５ａを挟んでそれぞれの接点部４ｂ、５ｂとそれぞれの端子部４ｃ、５ｃとが離れた位置に形成されているので、端子部４ｃ、５ｃにプラグ等の接続部材を接続したときに発生する火花等の異物がそれぞれの接点部４ｂ、５ｂに飛散するのを防止することができる。
前記第１、第２固定固定端子４、５の接点部４ｂ、５ｂは、レバー部材２の第２空洞部２ｆに収納支持した後述する可動接点７の回動軌跡に沿って円弧状に形成されている。
【００２４】
また、ウエハ３のバネ支持部３ｂには、捻りコイルバネからなる弾性部材６が支持可能になっており、この弾性部材６は、一端部６ａと他端部６ｂとが所定の角度を有して外側に導出形成されている。
そして、バネ支持部３ｂに支持した状態の弾性部材６は、一端部６ａがウエハ３のバネ受け部３ｃに弾接し、他端部６ｂがレバー部材２の右側のストッパ壁２ｃに弾接して、レバー部材２が支持孔２ｄを支点として上方に弾性付勢されるようになっている。
【００２５】
また、レバー部材２の第２空洞部２ｆ内には、弾性を有する金属板を略コ字状に折り曲げ形成した可動接点７が収納可能になっている。
前記可動接点７は、両端部に連結部７ａ、７ａを有し、この連結部７ａ、７ａ間にクリップ状の板状の第１、第２接点部７ｂ、７ｃが形成されている。
そして、可動接点７は、レバー部材２の第２空洞部２ｆ内に収納すると、支持突起２ｇ、２ｇに支持されて動きが規制されるようになっている。
前記レバー部材２の第２空洞部２ｆに支持した可動接点７は、レバー部材２の回動操作で、第１、第２接点部７ｂ、７ｃが第１、第２固定端子４、５の板状の接点部４ｂ、５ｂを挟み込んで、円弧状の接点部４ｂ、５ｂに沿って摺接可能になっている。
【００２６】
このような構成の本発明の第１の実施の形態のスイッチ装置の組立は、まず、レバー部材２の第２空洞部２ｆに可動接点７を挿入して支持する。
次に、第１、第２固定端子４、５がインサート成型等で埋設されたウエハ３のバネ支持部３ｂに、弾性部材６を挿通して支持すると共に、棒状のバネ支持部３ｂにレバー部材２の支持孔２ｄを挿入してレバー部材２をウエハ３に支持する。
この時のレバー部材２の第２空洞部２ｆには、事前に可動接点７が収納されて支持されている。
【００２７】
次に、レバー部材２を支持したウエハ３を、ケース１の開放された下方側から空洞部１ａ内に挿入すると、レバー部材２の操作部２ｂがレバー挿通孔１ｅから上方に挿通される。
また、同時にウエハ３の突起部３ｄがケース１のスナップ孔１ｆに係合すると共に、図４に示すように、可動接点７の第１接点部７ｂが第１固定端子４の接点部４ｃに接触した初期状態となって本発明のスイッチ装置が組み立てられている。
また、第１、第２固定端子４、５のそれぞれの端子部４ｃ、５ｃは、ケース１の挿通孔１ｇ近傍に位置して、外部からプラグ等の接続部材を差し込むと、それぞれの端子部４ｃ、５ｃに接続されるようになっている。
【００２８】
このように組み立てられた本発明のスイッチ装置の動作は、操作前の初期状態においては、図４に示すように、弾性部材６の付勢力でレバー部材２が上方に回動して、ストッパ壁２ｃがケース１の天板２ｄに当接した状態になっている。
この初期状態における可動接点７の第１接点部７ｂは、第１固定端子４の接点部４ｂに接触した状態になっている。
【００２９】
そして、初期状態におけるレバー部材２を矢印Ｂ方向に回動操作すると、図５に示すように、第１固定端子４の接点部４ｂに第１接点部７ｂが接触した状態で、可動接点７の第２接点部７ｃが第２固定端子５の接点部５ｂに接触する。このことにより、第１、第２固定端子４、５が可動接点７を介して導通して、第１、第２固定端子４、５間のスイッチ回路が切り換わる。
この時の可動接点７は、レバー部材２の第２空洞部２ｆ内で動きが規制されているので、レバー部材２の回動操作に忠実に追従して回動するので、レバー部材２の回動操作量が小さくても確実にスイッチ回路を切り換えることができる。
【００３０】
また、回動操作したレバー部材２は、慣性力によって図５から図６に示すように、更に回動して可動接点７が第１、第２固定端子４、５の円弧状の接点部４ｂ、５ｂに沿って降下する。
そして、操作部２ｂが所定のストローク量降下すると、レバー部材２の本体部２ａの一部である端部がウエハ３の内面に当接してレバー部材２の回動がストップする。
【００３１】
その後、矢印Ｂ方向に加えていたレバー部材２の操作荷重を解除すると、レバー部材２は、弾性部材６の付勢力で図４に示す初期状態に自動復帰する。このことにより、可動接点７の第２接点部７ｃが第２固定端子５から離間して、スイッチ回路が初期状態に復帰する。
前述したような本発明のスイッチ装置は、レバー部材２に可動接点７を直接支持しているので、従来例で説明したようなスライダ２４が不要になり部品点数を削減できる。
また、レバー部材２の回動に追従して可動接点７も忠実に回動させることができ、スイッチ回路の切り換えタイミングのバラツキをなくすることができる。
【００３２】
尚、本発明の第１の実施の形態における第１、第２固定端子４、５は、それぞれの接点部４ｂ、５ｂを挟んだ外側に端子部４ｃ、５ｃを形成したもので説明したが、図７に示す本発明の第２の実施の形態のように、第１、第２固定端子１４、１５は、それぞれの接点部１４ｂ、１５ｂおよびそれぞれの端子部１４ｃ、１５ｃを互いに隣り合わせて形成したものでも良い。
【００３３】
このような第２の実施の形態のスイッチ装置を、図７に基づいて説明すると、第１の実施の形態と同じ部材に付いては同じ番号を付して詳細な説明は省略する。  まず、ケース１１は、内部に第１空洞部１１ａが形成され、この第１空洞部１１ａ内にレバー部材２が回動可能に支持されている、
また、第１空洞部１１ａの左隣に第２空洞部１１ｂが隣設されている。また、ウエハ１３は、第１空洞部１１ａの下方側を遮蔽可能な形状になっており、第２空洞部１１ｂの下方側は開放状態となっている。
前記ウエハ１３には、上部側に第１固定端子１４の基部１４ａが埋設され、この基部１４ａの下部に第２固定端子１５の基部１５ａが埋設されて、第１、第２固定端子１４、１５が上下に配設されている。
【００３４】
そして、第１固定端子１４の基部１４ａには、ウエハ１３から右側に突出する接点部１４ｂが形成され、この接点部１４ｂは、円弧状で上方に湾曲形成されている。
また、第１固定端子１４には、ウエハ１３から左側に突出形成された端子部１４ｃが第２空洞部１１ｂに位置している。
また、第２固定端子１５の基部１５ａには、ウエハ１３から上方に突出する接点部１５ｂが形成され、この接点部１５ｂは、第１固定端子１４の接点部１４ｂと同じように湾曲形成されている。また、第２固定端子１５には、第１固定端子１４の端子部１４ｃと同様に、ウエハ１３から左側に突出形成された端子部１５ｃが第２空洞部１１ｂに位置している。
即ち、それぞれの端子部１４ｃ、１５ｃは、基部１４ａ、１５ａを挟んでそれぞれの接点部１４ｂ、１５ｂから離れた位置に形成されている。
そのために、例えば端子部１４ｃにプラグ等の接続部材を接続したときに発生する火花等の異物がそれぞれの接点部１４ｂ、１５ｂに飛散するのを防止することができる。
【００３５】
また、第１固定端子１４の接点部１４ｂは、第２固定端子１５の接点部１５ｂより長く形成されて、常時可動接点７の第１接点部７ｂが接触した状態になっている。
このような構成の第２の実施の形態のスイッチ装置は、ケース内部の上下に端子部１４ｃ、１５ｃを互いに隣り合わせて配設しているので、ケース１１の横幅を小さくでき、基板（図示せず）等に取り付けたときの取付面積を小さくすることができる。
【００３６】
【発明の効果】
本発明のスイッチ装置のケースは、空洞部の一方側が開放され、この開放された空洞部の一方側を遮蔽可能なウエハが配設され、このウエハに第１、第２固定端子の一部を埋設した状態で、接点部と端子部のそれぞれを空洞部内に位置させたので、ケースでそれぞれの端子部をプロテクトすることができ、端子部の変形や塵等が付着するのを防止できる。
また、従来例のような端子部をガードするためのプロテクト部が不要になり、小型のスイッチ装置を提供できる。
【００３７】
また、第１、第２固定端子は、接点部と端子部とを連結する基部を有し、この基部をウエハに埋設すると共に接点部を互いに隣り合わせて配設して、端子部を接点部から離れた位置に配設したので、それぞれの端子部にプラグ等の接続部材を接続したときに発生する火花等の異物がそれぞれの接点部に飛散するのを防止することができる。
【００３８】
また、第１、第２固定端子は、それぞれの接点部を挟んだ外側の位置にそれぞれ端子部を配設したので、更に確実に火花等の異物の影響を防止することができる。
【００３９】
また、ケースとウエハとは、互いにスナップ係止可能になっているので、組立が容易なスイッチ装置を提供できる。
【図面の簡単な説明】
【図１】本発明のスイッチ装置の分解斜視図である。
【図２】本発明に関するケースの２−２断面図である。
【図３】本発明に関するレバー部材の要部断面斜視図である。
【図４】本発明のスイッチ装置の要部断面図である。
【図５】本発明のスイッチ装置の動作を説明する要部断面図である。
【図６】本発明のスイッチ装置の動作を説明する要部断面図である。
【図７】本発明のその他の実施の形態を説明する要部断面図である。
【図８】従来のスイッチ装置の分解斜視図である。
【図９】従来のスイッチ装置の要部断面図である。
【図１０】従来のスイッチ装置の動作を説明する要部断面図である。
【符号の説明】
１  ケース
１ａ  空洞部
１ｆ  スナップ孔
１ｇ  外部端子挿通孔
２  レバー部材
２ａ  本体部
２ｂ  操作部
２ｃ  ストッパ壁
３  ウエハ
３ａ  支持壁
３ｂ  バネ支持部
３ｃ  バネ受け部
４  第１固定端子
４ａ  基部
４ｂ  接点部
４ｃ  接続部
５  第２固定端子
５ａ  基部
５ｂ  接点部
５ｃ  接続部
６  弾性部材
７  可動接点
【図１】
2004311122.tif 000003
【図２】
2004311122.tif 000004
【図３】
2004311122.tif 000005
【図４】
2004311122.tif 000006
【図５】
2004311122.tif 000007
【図６】
2004311122.tif 000008
【図７】
2004311122.tif 000009
【図８】
2004311122.tif 000010
【図９】
2004311122.tif 000011
【図１０】
2004311122.tif 000012